(57)【特許請求の範囲】
【請求項１】
計測ポイントに設置した遠隔監視端末から受信される計測データを遠隔情報監視装置において集中監視し、異常時に遠隔情報監視装置から外部ネットワークを介して作業者端末に異常を通知する遠隔情報監視システムであって、
前記遠隔監視端末は、計測ポイントの計測データを検出するセンサーと、無線ＬＡＮ子機と、当該遠隔監視端末の端末特定情報、異常情報を通知する作業者端末の特定情報を含む設定情報を入力する入力部と、前記入力部から入力された設定情報を前記センサーの計測データとともに前記無線ＬＡＮ子機から送信する制御を行う端末制御部とを備え、前記遠隔情報監視装置は、前記無線ＬＡＮ子機から送信された前記計測データ及び設定情報を受信する無線ＬＡＮ親機と、受信した前記計測データ及び設定情報に基づいて計測ポイントの状態を監視し、前記計測データの異常を検出すると異常情報を作成し外部ネットワークに送信して作業者端末に通知する制御を行う監視制御部とを備えることを特徴とする遠隔情報監視システム。
【請求項２】
前記設定情報には、測定ポイントにおける遠隔制御の設定／非設定の情報を含み、前記監視制御部は、前記遠隔制御の設定時に前記端末制御部に対して計測データに基づく遠隔制御の命令信号を出力し、前記端末制御部は、前記命令信号に基づき測定ポイントに対する遠隔制御を行うことを特徴とする請求項１記載の遠隔情報監視システム。
【請求項３】
前記設定情報には、センサーの種類、異常判定情報を含むことを特徴とする請求項１又は２記載の遠隔情報監視システム。
【請求項４】
前記遠隔情報監視装置は、前記遠隔監視端末から送信された前記設定情報を登録する設定情報記憶部と、前記遠隔監視端末毎に計測データを記憶するデータ記憶部とを備え、新規な遠隔監視端末の無線ＬＡＮ子機からのアクセス時に、前記設定情報記憶部に当該遠隔監視端末の設定情報を登録するとともに、当該端末特定情報に対応して計測データを前記データ記憶部に記憶することを特徴とする請求項１、２又は３記載の遠隔情報監視システム。
【請求項５】
計測ポイントで計測した計測データを遠隔監視端末から遠隔情報監視装置に送信し、異常時に遠隔情報監視装置から外部ネットワークを介して作業者端末に異常を通知する遠隔情報監視方法であって、
前記遠隔監視端末から該遠隔監視端末の端末特定情報、異常情報を通知する作業者端末の特定情報を含む設定情報を計測データとともに無線ＬＡＮを介して前記遠隔情報監視装置に送信し、遠隔情報監視装置は受信した前記設定情報に基づいて計測ポイントの状態を監視し、異常時に前記異常情報を前記作業者端末の特定情報に基づき作業者端末に通知することを特徴とする遠隔情報監視方法。
【請求項６】
前記設定情報には遠隔制御の設定／非設定の情報、異常情報の通知方式情報を含み、前記遠隔情報監視装置は、前記設定情報に基づき、前記遠隔制御の設定時に前記端末制御部に対して計測データに基づく遠隔制御の命令信号を出力するとともに、計測ポイントの異常時に前記通知方式情報に基づいて作業者端末に通知し、前記端末制御部は、前記命令信号に基づき測定ポイントに対する遠隔制御を行うことを特徴とする請求項５記載の遠隔情報監視方法。
【発明の詳細な説明】
【０００１】
【発明が属する技術分野】
本発明は、データの収集、監視及び異常通知を行う無人の遠隔情報監視制御に関し、特に、遠隔情報の監視及び制御に無線ＬＡＮを使用して監視制御を行う遠隔情報監視システム及び遠隔情報監視方法に関する。
【０００２】
【従来の技術】
生産ラインの生産設備の現状を遠隔地で確認可能とするため、生産ラインに生産ラインコントローラを設け、異常情報をサーバーを介してＦＡＸ、電話・ＰＨＳで通知する生産ラインの管理装置が特開平１１−１５１６４３号公報に記載されている。
【０００３】
図７は、前記生産ライン管理装置のシステム構成を示す図である。生産ライン１Ａに対応して設けた生産ラインコントローラ２Ａと、前記生産ラインコントローラ２Ａに接続したサーバー３Ａとを備え、前記サーバー３Ａから交換機４Ａ及び公衆回線５Ａを介してＦＡＸ、電話・ＰＨＳ６Ａと接続するシステム構成でなる。サーバー３Ａは生産ラインコントローラ２Ａからトラブル情報を受信すると、生産状況管理機能において当該トラブル内容を分析し音声のトラブルデータを生成するとともに、当該トラブルを通知する電話番号を判別し、音声処理機能において回線接続を行って当該回線に音声を流し生産設備のトラブルを通知する。
【０００４】
また、複数種類の端末とホスト装置とを無線ＬＡＮを通じて接続して構成した管理システムとして、遊技機管理システムや火災警報システムが知られている（特開２００１−７０６３０、特開平１１−２５９７７７）。
【０００５】
図８は、無線ＬＡＮを利用した遊技管理システムの例を示す図である。遊技機ａ〜ｅとホスト装置１Ｂとが無線ＬＡＮ２Ｂにより接続され、各遊技機ａ〜ｅは自機における遊技結果を含む遊技情報と自機の稼働状況を表す情報とをホスト装置１Ｂ宛に送出し、ホスト装置１Ｂからの命令に基づき自機の補助制御を行う。ホスト装置１Ｂは各遊技機ａ〜ｅからの遊技情報を収集し、遊技機の遊技統計情報を生成するとともに、障害発生の有無を判別し障害発生時に当該障害を自律的に復旧させるための前記命令信号を遊技機に送出する。
【０００６】
図９は、前記火災報知システムの例を示す図である。ローカル側における、感知器、防排煙機器等の端末器１Ｃと接続され、無線ＬＡＮ端末３Ｃを備える区画毎の複数の中継器２Ｃと、センター側における、操作卓４Ｃ及び無線ＬＡＮ端末６Ｃを備える受信機５Ｃと、無線ＬＡＮ端末８Ｃを備えるポータブルコンピュータ７Ｃ等とから構成される。中継器２Ｃはそれぞれの端末器１Ｃと通信を行い各区画毎の火災監視、報知を行う。受信機５Ｃは中継器２Ｃと無線ＬＡＮ３Ｃ、６Ｃを介してデータの送受信を行い全体の火災監視、報知を行う。コンピュータ７Ｃは、作業者が持ち運びメンテナンスを行うため無線ＬＡＮ６Ｃ、８Ｃを介して受信機５Ｃから送信データを受信する。
【０００７】
【発明が解決しようとする課題】
図７に示す生産ライン管理装置は、生産ラインとサーバーとが固定的に接続された管理システムであり、装置相互間は通常有線ケーブルで接続されるのが一般的であり有線伝送路敷設工事を必要とし、また、生産ラインの増設、撤去、遠隔管理項目、異常の通知先の変更等に対してフレキシブルに対応できる管理システムでないという難点を有しており、特に、監視箇所、監視項目及び通知先等の変更には、サーバーを含むシステム全体で設定事項を変更するという大がかりなシステム変更を必要とするものである。
【０００８】
一方、図８、９に示すシステムは、被監視側装置と監視側装置との接続を無線ＬＡＮを用いて接続する構成を採用するものであり、例えば図８では遊技機の入れ替え、配置替え等に迅速に対応することが可能なシステムであるが、何れのシステムでも、やはり監視箇所、監視項目及び通知先等の変更に柔軟に対応可能なシステムでないという点で問題がある。
【０００９】
（目的）
本発明の目的は、被監視制御対象の監視環境及び監視項目等の変更等に対し柔軟に対応可能な遠隔情報監視システム及び遠隔情報監視方法を提供することにある。
本発明の他の目的は、遠隔監視端末の設置に対応して当該遠隔監視端末及び遠隔情報監視装置の設定を可能とした遠隔情報監視システム及び遠隔情報監視方法を提供することにある。
本発明の他の目的は、被監視制御対象に設置する遠隔監視端末側から異常情報等を通知する作業者端末の設定が可能な遠隔情報監視システム及び遠隔情報監視方法を提供することにある。
【００１０】
【課題を解決するための手段】
本発明の無線ＬＡＮによる遠隔情報監視システム及び遠隔情報監視方法は、所望の測定ポイントでデータの監視が必要な場合に、遠隔監視端末を設置し予め諸設定を行うことにより無人の遠隔情報監視装置に測定データを無線ＬＡＮにて自動的に転送し、当該遠隔情報監視装置の一カ所で集中的にデータの監視を行うことができ、異常データが観測された場合は遠隔情報監視装置から電子メールや携帯電話等、既存の通信手段を用いてその情報を設定した作業者端末に通知することを可能とする。即ち、
本発明の遠隔情報監視システムは、計測ポイントに設置した遠隔監視端末から受信される計測データを遠隔情報監視装置において集中監視し、異常時に遠隔情報監視装置から外部ネットワークを介して作業者端末に異常を通知する遠隔情報監視システムであって、前記遠隔監視端末は、計測ポイントの計測データを検出するセンサーと、無線ＬＡＮ子機と、当該遠隔監視端末の端末特定情報、異常情報を通知する作業者端末の特定情報を含む設定情報を入力する入力部と、前記入力部から入力された設定情報を前記センサーの計測データとともに前記無線ＬＡＮ子機から送信する制御を行う端末制御部とを備え、前記遠隔情報監視装置は、前記無線ＬＡＮ子機から送信された前記計測データ及び設定情報を受信する無線ＬＡＮ親機と、受信した前記計測データ及び設定情報に基づいて計測ポイントの状態を監視し、前記計測データの異常を検出すると異常情報を作成し外部ネットワークに送信して作業者端末に通知する制御を行う監視制御部とを備えることを特徴とする。
【００１１】
また、前記設定情報には、測定ポイントにおける遠隔制御の設定／非設定の情報を含み、前記監視制御部は、前記遠隔制御の設定時に前記端末制御部に対して計測データに基づく遠隔制御の命令信号を出力し、前記端末制御部は、前記命令信号に基づき測定ポイントに対する遠隔制御を行うことを特徴とする。
【００１２】
本発明の遠隔情報監視方法は、計測ポイントで計測した計測データを遠隔監視端末から遠隔情報監視装置に送信し、異常時に遠隔情報監視装置から外部ネットワークを介して作業者端末に異常を通知する遠隔情報監視方法であって、前記遠隔監視端末から該遠隔監視端末の端末特定情報、異常情報を通知する作業者端末の特定情報を含む設定情報を計測データとともに無線ＬＡＮを介して前記遠隔情報監視装置に送信し、遠隔情報監視装置は受信した前記設定情報に基づいて計測ポイントの状態を監視し、異常時に前記異常情報を前記作業者端末の特定情報に基づき作業者端末に通知することを特徴とし、前記設定情報には遠隔制御の設定／非設定の情報、異常情報の通知方式情報を含み、前記遠隔情報監視装置は、前記設定情報に基づき、前記遠隔制御の設定時に前記端末制御部に対して計測データに基づく遠隔制御の命令信号を出力するとともに、計測ポイントの異常時に前記通知方式情報に基づいて作業者端末に通知し、前記端末制御部は、前記命令信号に基づき測定ポイントに対する遠隔制御を行うことを特徴とする。
【００１３】
【発明の実施の形態】
次に、本発明の無線ＬＡＮによる遠隔情報監視システム及び遠隔情報監視方法の一実施の形態を以下説明する。
【００１４】
（構成の説明）
図１は、本発明の無線ＬＡＮによる遠隔情報監視システム及び遠隔情報監視方法の基本構成を示す図である。複数の測定ポイントＡ、Ｂ、Ｃに設置した遠隔情報監視及び遠隔制御用の端末（遠隔監視端末）１（１１、１２、１３）と、遠隔監視制御用の遠隔情報監視装置２と、前記遠隔情報監視装置２がＬＡＮ又は電話回線を介して携帯端末等の情報端末である作業者端末４と接続可能な外部ネットワーク３とから構成される。
【００１５】
前記各測定ポイントＡ、Ｂ、Ｃの遠隔監視端末１１、１２、１３は、それぞれセンサー１１−１、１２−１、１３−１と、各センサー１１−１、１２−１、１３−１に接続された端末制御部１１−２、１２−２、１３−２と、各端末制御部１１−２、１２−２、１３−２に接続された無線ＬＡＮの子機（無線ＬＡＮ子機）１１−３、１２−３、１３−３とからなり、遠隔情報監視装置２は、前記各無線ＬＡＮ子機１１−３、１２−３、１３−３と無線接続される無線ＬＡＮの親機（無線ＬＡＮ親機）２−１と、前記親機２−１と接続され、ホストコンピュータにより構成される監視制御部２−２と、前記監視制御部２−２と接続され、前記ＬＡＮ又は電話回線のケーブルを介して外部ネットワークと接続されるＬＡＮボード又はモデム２−３とから構成される。
【００１６】
本発明の無線ＬＡＮによる遠隔情報監視システム及び遠隔情報監視方法の機能及び動作は以下のとおりである。
各遠隔監視端末１１、１２、１３において、各センサー１１−１、１２−１、１３−１は各測定ポイントＡ、Ｂ、Ｃにおける観測対象の情報を計測しそれぞれ測定データを出力しそれぞれの端末制御部１１−２、１２−２、１３−２に転送する。各端末制御部１１−２、１２−２、１３−２は各センサー１１−１、１２−１、１３−１から転送された各観測データを処理し、必要な設定情報とともに所定の送信フォーマットにより無線ＬＡＮ子機１１−３、１２−３、１３−３に転送する。各子機１１−３、１２−３、１３−３は各端末制御部１１−２、１２−２、１３−２から転送されたデータを遠隔情報監視装置２の無線ＬＡＮ親機２−１を介して監視制御部（ホストコンピュータ）２−２にリアルタイムで転送する。
【００１７】
遠隔情報監視装置２においては、監視制御部２−２は無線ＬＡＮ親機２−１を介して受信した各遠隔監視端末１１、１２、１３からの測定データを記録し、計測データのチェックを行う等、計測ポイントの情報を集中監視し、運用情報又はデータの異常時の異常情報を含む電子メール又は音声信号を作成し、定期的又は緊急にＬＡＮボード又はモデム２−３に転送し、ＬＡＮケーブル又は電話回線を介して外部ネットワーク３に送信し、外部ネットワーク３から遠隔情報監視システムの運用に従事する作業者端末４に対して前記電子メール又は音声信号を送信して作業者に観測ポイントの運用情報又は異常情報等を通知する。
【００１８】
以上の構成により複数の無人環境での観測ポイントＡ、Ｂ、Ｃのデータ測定、監視を一括して行うことができ、作業者の人員や見回り等の工数の削減を可能とする。また、測定ポイントと遠隔情報監視装置との通信に無線ＬＡＮを使用することで、従来のような有線ケーブルの設置を行う必要が無く、ケーブルの設置費用や設置スペースを低減することが可能である。
【００１９】
（第１の実施の形態）
図２は、本発明を製造工場の自動製造ラインにおける製造機械の運転状況を監視するシステムに適用した実施の形態を示す図である。遠隔情報監視の監視対象とする複数の製造機械Ａ、Ｂ、Ｃと、前記複数の製造機械Ａ、Ｂ、Ｃに設置されそれぞれの製造機械Ａ、Ｂ、Ｃの運転状態、異常状態等を監視する各種のセンサー５１−１、５２−１、５３−１、前記各センサー５１−１、５２−１、５３−１に接続された端末制御部５１−２、５２−２、５３−２及び無線ＬＡＮ子機５１−３、５２−３、５３−３を備える遠隔監視端末５１、５２、５３と、無線ＬＡＮ親機６−１、ホストコンピュータで構成される監視制御部６−２、ＬＡＮ又はモデム６−３とを備える遠隔情報監視装置６と、ＬＡＮ又はモデム６−３とＬＡＮケーブル又は電話回線を介して接続される外部ネットワーク７と、携帯端末等の作業者端末８とから構成される。
【００２０】
図３は、本実施の形態の遠隔監視端末の一構成例を示す図である。本実施の形態の遠隔監視端末５ｎは、遠隔監視端末内蔵の１ないし複数のセンサー５ｎ−１及び外部センサーの計測データを入力する１ないし複数のセンサーインターフェース５ｎ−２等と、遠隔監視端末５ｎ及び遠隔情報監視装置６に対して監視情報に関する設定情報を入力する設定入力部５ｎ−５と、前記センサー側からの計測データ、前記設定入力部５ｎ−５からの設定情報を入力し、所定の送信フォーマットに変換して前記無線ＬＡＮ５ｎ−４に出力するとともに、該無線ＬＡＮ子機５ｎ−５で受信した遠隔情報監視装置６からの制御情報を入力し制御信号を出力する出力部５ｎ−６とを備える端末制御部５ｎ−３と、前記端末制御部５ｎ−３から出力される送信情報を入力して無線送信する無線ＬＡＮ子機５ｎ−４とから構成される。
【００２１】
ここで、遠隔監視端末５ｎの各種センサーとしては、それぞれの製造機械の運転／停止の検出、故障発生の検出、部品のストック数の検出、製造数の検出、不良品の発生の検出等を行うためのセンサーが使用される。また、設定入力部５ｎ−５から入力し設定する項目は、遠隔監視端末の端末特定情報、使用センサー機能、種類、前記検出事項、遠隔情報監視装置でそれぞれ集中監視を行う監視項目、異常時等に通知する情報端末の特定情報及び計測データ等の設定情報である。
【００２２】
図４は、遠隔監視端末の設定入力部から設定される情報の内容を示す図である。遠隔監視端末は、１ないし複数のセンサー５ｎ−１及びセンサーインターフェース５ｎ−２を備えており、使用するセンサーで計測した計測データを計測情報として遠隔情報監視装置に送出するとともに、異常時に異常情報の通知先の作業者端末のメールアドレス又は電話番号等の特定情報を送出する。予め遠隔監視端末の端末制御部５ｎ−３に入力し、遠隔監視端末５ｎから遠隔情報監視装置６に送出して、遠隔情報監視装置６に対する設定をも行う。
【００２３】
端末制御部５ｎ−３に入力し、遠隔情報監視装置６に対し通知する設定情報としては、遠隔監視端末の端末特定情報に加え、センサー情報（センサー種類）、使用センサー、計測データの異常判定の閾値情報としての異常判定情報、遠隔監視端末の設置ポイント、遠隔制御制御の設定（制御）／非設定（非制御）、異常時の作業者端末への通知／非通知、通知端末である作業者端末の電話番号／メールアドレス等の特定情報、通知文、通知音声等の設定等が挙げられる。
【００２４】
図５は、本実施の形態の遠隔情報監視装置の一構成例を示す図である。本実施の形態の遠隔情報監視装置６は、各無線ＬＡＮ子機５ｎ−１、５ｎ−２、５ｎ−３と接続される無線ＬＡＮ親機６−１と、外部ネットワークと接続するＬＡＮケーブルに接続されるＬＡＮボード又はモデム６−３と、遠隔監視端末に関する情報及び計測データを記憶する記憶部６−４と、前記無線ＬＡＮ親機６−１、前記ボード又はモデム６−３及び前記記憶部６−４と接続され、ホストコンピュータ等からなる監視制御部６−２とで構成される。ここで記憶部６−４は、監視制御部６−２の制御により無線ＬＡＮからの無線信号の受信により動作中の遠隔監視端末の端末アドレス、その他、図４に示すような遠隔監視端末からの設定情報を登録する設定情報記憶部６−４１と遠隔監視端末毎の計測データ等を記憶するデータ記憶部６−４２とで構成することができる。
【００２５】
（動作の説明）
次に、図２、３、５に示す本発明の遠隔情報監視システム及び遠隔情報監視方法の実施の形態の動作を説明する。
【００２６】
遠隔監視制御が必要な製造機械Ａ、Ｂ、Ｃに対し予め遠隔監視端末５１〜５３を設置し、内蔵するセンサーを製造機械の計測箇所に取り付け又は製造機械に備わるセンサーをセンサーインターフェースを介して接続し、出力部５ｎ−６を製造機械の被制御部の入力端子に接続し、遠隔監視端末５ｎの電源を投入して設定入力部５ｎ−５より図４に示す各種情報を入力して設定する。
【００２７】
製造機械Ａ、Ｂ、Ｃに設置した各端末制御部５１、５２、５３には、設定入力部から入力された端末アドレス（端末番号）等の前記端末特定情報に加え、センサー情報（センサー種類）、使用センサー、計測データの異常判定の閾値情報等、異常判定の情報、遠隔監視端末の設置ポイント、遠隔制御の設定（制御）／非設定（非制御）、異常時の作業者端末への通知／非通知、通知端末である作業者端末の電話番号／メールアドレス等の特定情報、通知文、通知音声等の設定等を使用センサーからの計測データとともに所定フォーマットの送信信号とし、それぞれ無線ＬＡＮ子機に転送し無線信号として送出する。
【００２８】
無線ＬＡＮ親機は、各子機からの前記無線信号を受信すると、受信された遠隔監視端末の端末特定情報としての端末アドレス（端末番号）等から記憶部に登録されている端末アドレスを参照し、登録されている端末アドレスが存在する場合は、当該遠隔監視端末の設定情報により監視項目及び異常情報の通知先等を設定し、各遠隔監視端末毎に計測データを監視し記録する。また、受信された端末アドレスが記録部に登録されていない場合には、新たな監視対象の遠隔監視端末として、端末アドレス及び監視項目及び異常情報の通知先等を設定し、当該遠隔監視端末の計測データの監視及び記録を開始する。
【００２９】
こうして遠隔監視端末が設置された製造機械について逐次測定した運転状態等の計測データを遠隔情報監視装置にリアルタイムで送信し、製造機械毎に計測データをデータベースとして記録するとともに、送信された計測データの数値に異常が無いか否かを逐次確認し、データに異常がある場合は、遠隔監視制御装置は異常データを送信した遠隔監視端末や、当該遠隔監視端末に関連する他の端末装置に対して異常状況に応じて製造システムが円滑に動作するように命令信号を送信してシステムの復旧等につとめる。この命令信号には、例えば部品のストックが無ければ部品の供給するように制御したり、１台の製造機械が故障した場合、その生産予定数量を他の製造機械に割り当てるような命令信号が含まれる。
【００３０】
各監視制御端末５１、５２、５３は、遠隔情報監視装置６からの前記命令信号、例えば復旧命令信号を受信すると、その復旧命令信号に基づいて該当する制御出力部から制御信号を出力し、被制御対象を制御しそれぞれの製造機械を制御する。また遠隔情報監視装置６は、この復旧作業等と同時に異常データの内容により、あらかじめ異常データに応じて設定情報により設定されたフォーマットで所定の作業者宛の電子メールを作成し、ＬＡＮボード又はモデムによりＬＡＮケーブル又は電話回線を経由して外部ネットワークに転送し、作業者端末８に送信して作業者に通知する。
【００３１】
作業者は作業者端末８により製造機械の運転状況及び異常情報を入手可能であり、また、遠隔監視端末は遠隔情報監視装置との接続に無線ＬＡＮを使用し、遠隔情報監視装置には新規の遠隔監視端末が無線信号を出力することでアクセスしたとき、当該遠隔監視端末を適宜登録し、その計測データの監視を行うように構成しているため、各製造機械の運転状況に基づいて、稼働中の遠隔監視端末を削除したり、必要に応じて稼働中の製造機械の遠隔監視端末をその設定情報を変更して他の製造機械へ移動したり、新たな遠隔監視端末を追加したりすることが適宜可能である。
【００３２】
（第２の実施の形態）
図６は、本発明の遠隔情報監視システム及び遠隔情報監視方法の他の実施の形態を示す図である。本実施の形態は魚の養殖池における水位、水温、水質などを監視制御するシステムに適用した例である。
【００３３】
養殖池に設置され、水位、水温及び水質を計測する水位センサー９１−１、水温センサー９２−１、水質センサー９３−１と、各センサーにそれぞれ接続された端末制御部９１−２、９２−２、９３−２と、各端末制御部にそれぞれた無線ＬＡＮ子機９１−２、９２−２、９３−２とを備える遠隔監視端末９１、９２、９３と、無線ＬＡＮ親機１０−１と、前記親機と接続された監視制御部１０−２と、前記監視制御部と接続されたモデム１０−３とを備える遠隔管理制御装置１０と、前記モデム１０−３により電話回線７を介して接続される外部ネットワークとから構成される。本実施の形態の遠隔情報監視の動作の概要は以下のとおりである。
【００３４】
水位センサー５１−１、水温センサー５２−１及び水質センサー５３−１は、各養殖池の水位、水温及び水質を測定し、それぞれの計測データを各センサーと接続された端末制御部９１−２、９２−２、９３−２から所定フォーマットとしてそれぞれ無線ＬＡＮ子機９１−３、９２−３、９３−３から遠隔管理制御装置１０の無線ＬＡＮ親機１０−１にリアルタイムで送信する。無線ＬＡＮ親機１０−１に送信されたデータは監視制御部１０−２において記憶し、また転送されたデータの数値に異常がないか否かを逐次確認する。データに異常がある場合、監視制御部１０−２は異常データの内容により遠隔情報監視装置に内蔵されたモデム１９を介して発呼し、電話回線を経由して作業者の携帯電話又はページャー等へ異常情報を通知する。
【００３５】
また、本実施の形態においても、各遠隔監視端末９１、９２、９３の端末制御部９１−２、９２−２、９３−２及び遠隔情報監視装置１０の監視制御部１０−２は、図３、５に示す構成及び機能を有し、各遠隔監視端末９１、９２、９３から図４に示す各種の設定情報を遠隔情報監視装置１０に送信するとともに、各遠隔監視端末９１、９２、９３及び遠隔情報監視装置１０の制御の情報を設定する。
【００３６】
この構成により、各遠隔監視端末９１、９２、９３を設置し、各種設定後に無線ＬＡＮ子機の動作により、遠隔情報監視装置１０は当該遠隔監視端末の存在を認知し、受信された計測データを蓄積、監視し、設定により例えば養殖池の水位の上昇に対して、遠隔制御情報を遠隔監視端末に送信し、端末制御部から入排水バルブを制御する制御信号を出力し、正常水位に復帰させる等の遠隔制御を行うとともに、異常動作等の場合には前記設定情報に基づく作業者端末の端末アドレスに異常を知らせるメール等を送信する。更に、作業者は状況に応じて、無線ＬＡＮ接続の特徴を生かして養殖池に設置した遠隔監視端末を異なる箇所に移動させ、又は新たな遠隔監視端末を搬入して設置し、各種の設定を行い所望箇所の計測データを取得可能に監視システムの変更を随時行う。
【００３７】
以上説明した実施の形態においては、具体例として無人化された製造ライン、養殖池などの複数の計測ポイントで機械の運転状態や異常発生等を離れた地点に設置した遠隔情報監視装置で一括監視でき、柔軟に変更可能な監視システムとして作業者の人員削減や見回り等の工数削減に好適な例を説明したが、本発明の遠隔情報監視システム及び遠隔情報監視方法は、遠隔情報監視の各種分野に適用可能であることは云うまでもない。
【００３８】
【発明の効果】
本発明によれば、遠隔監視端末と遠隔情報監視装置とのデータ通信を無線ＬＡＮを利用して行うことにより有線ケーブルを設置する必要が無いため、有線ケーブルの設置費用や設置スペースの削減が可能であるとともに、遠隔監視端末の増設、変更等も随時可能である。
【００３９】
また、遠隔監視端末で設定した設定情報により遠隔情報監視装置における一括監視、異常発生時の通知及び通知方式等の内容が自動的に設定されるため、作業者は遠隔監視端末で設定した作業者端末を携帯することにより、作業者が設定したアラーム情報等の必要情報が居場所によらず迅速に伝達される遠隔情報監視システムを実現することが可能である。
【図面の簡単な説明】
【図１】本発明の遠隔情報監視システム及び遠隔情報監視方法の基本構成を示す図である。
【図２】本発明の第１の実施の形態を示す図である。
【図３】本実施の形態の遠隔監視端末の構成を示す図である。
【図４】本実施の形態の遠隔監視端末から入力する設定情報を示す図である。
【図５】本実施の形態の遠隔情報監視装置の構成を示す図である。
【図６】本発明の第２の実施の形態を示す図である。
【図７】従来の生産ラインの遠隔監視システムを示す図である。
【図８】従来の遊技機の遠隔監視システムを示す図である。
【図９】従来の火災警報システムを示す図である。
【符号の説明】
１、５、５１、５２、５３、９、９１、９２、９３  遠隔監視端末
２、６、１０  遠隔情報監視装置
３、７  外部ネットワーク
４、８  携帯端末
【図１】
0003597164.tif 000002
【図２】
0003597164.tif 000003
【図３】
0003597164.tif 000004
【図４】
0003597164.tif 000005
【図５】
0003597164.tif 000006
【図６】
0003597164.tif 000007
【図７】
0003597164.tif 000008
【図８】
0003597164.tif 000009
【図９】
0003597164.tif 000010